(57)【要約】      （修正有）【課題】電子デバイスサポート部材を提供する。【解決手段】電子デバイスサポート部材１は、収容設置部材２を有し、その内部には、三つの収容設置空間２１、２２、２３を有する。第一サポート片１０、第二サポート片２０、第三サポート片３０は、三つの収容設置空間２１、２２、２３内にそれぞれ設置される。第一凹折部２０１は第一サポート片１０と第二サポート片２０との間に設置され、第二凹折部２０２は第二サポート片２０と第三サポート片３０との間に設置される。固定部材４０は第一サポート片１０の第一側辺１０１、第二サポート片２０の第二側辺１０２と第三サポート片３０の第三側辺１０３に設置される。収容設置部材２の第一凹折部２０１と第二凹折部２０２とを折り曲げ、固定部材４０は第一側辺１０１、第二側辺１０２と第三側辺１０３を二つずつ相互に連結固定し、サポート部材１は立体状を形成する。平板状のサポート部材は収納が容易で、立体状に変形させればサポート部材として使用できる。【選択図】図１
0003206069.tif 000002
【実用新案登録請求の範囲】
【請求項１】
電子デバイスサポート部材であって、収容設置部材、第一サポート片、第二サポート片、第三サポート片と固定部材を有し、
前記収容設置部材の内部には、第一収容設置空間、第二収容設置空間及び第三収容設置空間を有し、
前記第一サポート片は、前記第収容設置空間内に設置され、
前記第二サポート片は、前記第二収容設置空間内に設置され、前記第一サポート片の片側に隣り合い、第一凹折部は、前記第一サポート片と前記第二サポート片との間に設置し、
前記第三サポート片は、前記第三収容設置空間内に設置され、前記第二サポート片の片側に隣り合い、第二凹折部は、前記第二サポート片と前記第三サポート片との間に設置し、前記第三サポート片と前記第一サポート片とは対称に前記第二サポート片の両側に設置し、
前記固定部材は、前記第一サポート片の第一側辺、前記第二サポート片の第二側辺と前記第三サポート片の第三側辺に設置され、
前記収容設置部材の前記第一凹折部と前記第二凹折部とを折り曲げ、前記固定部材は、前記第一側辺、前記第二側辺と前記第三側辺を、二つずつ相互に連結固定し、前記電子デバイスサポート部材は立体状を形成することを特徴とする電子デバイスサポート部材。
【請求項２】
前記電子デバイスサポート部材は、受け止め片をさらに有し、前記収容設置部材の第四収容設置空間内に設置し、前記第二サポート片において、前記第一サポート片と前記第三サポート片の側辺には隣接せず、
前記第三凹折部は、前記受け止め片と前記第二サポート片との間に設置することを特徴とする請求項１に記載の電子デバイスサポート部材。
【請求項３】
前記電子デバイスサポート部材は、係合固定片をさらに有し、前記収容設置部材に設置し、前記受け止め片上に位置することを特徴とする請求項２に記載の電子デバイスサポート部材。
【請求項４】
前記電子デバイスサポート部材は、差し込み部材をさらに有し、前記収容設置部材の片側に設置し、前記第一サポート片の外側辺或いは前記第三サポート片の外側辺に位置することを特徴とする請求項１に記載の電子デバイスサポート部材。
【請求項５】
前記固定部材は、ファスナー、磁性構造、係合構造或いは面ファスナーであることを特徴とする請求項１に記載の電子デバイスサポート部材。
【請求項６】
前記固定部材は、前記ファスナーで、
前記収容設置部材は、保護片をさらに有し、
前記保護片は、前記該第二側辺に設置されることを特徴とする請求項５に記載の電子デバイスサポート部材。
【考案の詳細な説明】
【技術分野】
【０００１】
本考案はサポート部材に関し、特に変形使用が可能な電子デバイスサポート部材に関する。
【背景技術】
【０００２】
テクノロジーの進歩に従い、さまざまな電子製品が生まれ、人々に利便を提供している。
また、生活や仕事上の必要のため、ノート型コンピューター、スマートフォン、タブレットＰＣ等の電子デバイスを随時携帯する人も増えており、こうして生活や仕事の利便性が広がり、しかも各種電子製品の更新と進歩は非常に速くなっている。
現在ではほとんどの人が、スマートフォンかタブレットＰＣを所持するようになっており、この種のポータブルモバイルデバイスの普及はますます進み、すでに現代生活とは切っても切れない関係にあると言える。
今ではさまざまなタイプの携帯電話端末やタブレット端末が発売されており、これら携帯電話端末などの型式に適応する多種多様な周辺製品も出現している。
これらタブレットＰＣやスマートフォンの周辺製品が多様になるにつれて利便性が上がり、周辺製品もどんどん広がりを見せている。
【０００３】
上述したポータブルタブレット或いはスマートフォン製品は、いつでもどこでもインターネットを通して情報を伝送でき、ファイルや資料等へのアクセス或いはダウンロード等を行うことができる。
同時に、ポータブルタブレット或いはスマートフォン製品では、インターネットで情報を閲覧し、音楽を聞き、さらにはマルチメディアビデオ等を鑑賞できる。
電子デバイスは、上述のように多種の機能を備えるため、使用頻度が大幅に拡大している。
【０００４】
ポータブル電子デバイスはその名の通り、手で持って使用できるものである。
だが、電子デバイスは、上述のように多種の効果を備えるため、ポータブル電子デバイスを、マルチメディアビデオ或いはドラマシリーズの鑑賞に用いるなら、使用する時間は普通３０分を超える。
つまり、ポータブル電子デバイスはしばしば長時間使用される。
けれども、マルチメディアビデオを鑑賞する時、長時間、手で電子デバイスを持っていれば、電子デバイスは非常に重いというわけではないとしても、手には影響が及ぶ。
携帯電話端末を用いる時間が短いなら、症状は比較的軽微で、手がしびれる程度だろう。
だがもし、携帯電話端末を手に持つ時間が長いなら、長時間ひじを曲げて電子デバイスを持っていなければならず、腕の尺骨神経が過度に伸び、血行が悪くなり、尺骨神経は大きな圧力を受ける。
こうして、前腕、薬指、小指等部位に不快を感じ、ひいては肘部管症候群を発症し、深刻な場合には手術によって治療しなければならなくなる。
【０００５】
現在市販されている電子デバイスの保護ケース或いは保護バッグ構造の中には、携帯電話端末のサポート台或いはサポートフレームに類似の構造もあるが、電子デバイス保護ケースと保護バッグの目的は、電子デバイスの保護であり、電子デバイスが衝突により損壊を受けることがないよう保護するもので、電子デバイスを使用するために支えるのではないため、使用目的が異なり、サポート力は構造の重点とはなっていない。
よって、電子デバイス保護ケース或いは保護バッグを長期的にサポートに使用すると、その構造のサポート力は衰弱し使用不能となってしまう。
しかも、すべての電子デバイス保護ケースと保護バッグが、サポート効果を備えているというわけではない。
【考案の概要】
【考案が解決しようとする課題】
【０００６】
本考案の目的は、変形させて立体状とすれば、サポート台として、電子デバイスのサポートスタンドとして使用でき、変形させて平板状とすれば收納に便利な電子デバイスサポート部材を提供することにある。
【課題を解決するための手段】
【０００７】
本考案による電子デバイスサポート部材は、収容設置部材、第一サポート片、第二サポート片、第三サポート片と固定部材を有する。
該収容設置部材の内部には、第一収容設置空間、第二収容設置空間及び第三収容設置空間を有する。
該第一サポート片は、該第一収容設置空間内に設置される。
該第二サポート片は、該第二収容設置空間内に設置され、該第サポート片の片側に隣り合い、第一凹折部は該第一サポート片と該第二サポート片との間に設置する。
該第三サポート片は、該第三収容設置空間内に設置され、該第二サポート片の片側に隣り合い、第二凹折部は、該第二サポート片と該第三サポート片との間に設置し、該第三サポート片と該第一サポート片とは対称に該第二サポート片の両側に設置する。
該固定部材は、該第一サポート片の第一側辺、該第二サポート片の第二側辺と該第三サポート片の第三側辺に設置される。
該収容設置部材の該第一凹折部と該第二凹折部とを折り曲げ、該固定部材は、該第一側辺、該第二側辺と該第三側辺を、二つずつ相互に連結固定し、該電子デバイスサポート部材は立体状を形成する。
【０００８】
本考案の一実施形態は、受け止め片をさらに有し、該収容設置部材の第四収容設置空間内に設置し、該第二サポート片において、該第一サポート片と該第三サポート片の側辺には隣接しない。
第三凹折部は、該受け止め片と該第二サポート片との間に設置する。
【０００９】
本考案の一実施形態は、係合固定片をさらに有し、該収容設置部材に設置し、該受け止め片上に位置する。
【００１０】
本考案の一実施形態は、差し込み部材をさらに有し、該収容設置部材の片側に設置し、該第一サポート片の外側辺或いは該第三サポート片の外側辺に位置する。
【００１１】
本考案の一実施形態では、該固定部材は、ファスナー、磁性構造、係合構造或いは面ファスナーである。
【００１２】
本考案の一実施形態では、該固定部材は、該ファスナーで、該収容設置部材は、保護片をさらに有し、該保護片は、該第二側辺に設置される。
【考案の効果】
【００１３】
本考案の電子デバイスサポート部材は、平板状に変形させ收納に便利で、立体状に変形させ電子デバイスのサポートスタンドとすることができる。
さらに、本考案の固定部材は、ファスナー、面ファスナー、磁性構造或いは係合構造等で、使用者の必要に応じて調整できる。
固定部材の目的は、第一側辺、第二側辺、第三側辺を、二つずつ相互に連接固定することであるため、固定部材の構造には制限がない。
また、本考案は、受け止め片と係合固定片をさらに有し、電子デバイスをよりよく固定することができる。
さらに、差し込み部材により、電子デバイスサポート部材を使用する際の利便性を拡大することができる。
【図面の簡単な説明】
【００１４】
【図１】本考案の電子デバイスサポート部材の第一実施形態の展開模式図である。
【図２】本考案の電子デバイスサポート部材の第一実施形態の立体図である。
【図３】本考案の電子デバイスサポート部材の第一実施形態の使用状態模式図である。
【図４】本考案の電子デバイスサポート部材の第一実施形態の別種の使用状態模式図である。
【図５】本考案の電子デバイスサポート部材の第二実施形態の模式図である。
【図６】本考案の電子デバイスサポート部材の第三実施形態の模式図である。
【図７】本考案の電子デバイスサポート部材の第四実施形態の模式図である。
【図８】本考案の電子デバイスサポート部材の第五実施形態の模式図である。
【図９】本考案の電子デバイスサポート部材の第六実施形態の模式図である。
【図１０】本考案の電子デバイスサポート部材の第七実施形態の模式図である。
【考案を実施するための形態】
【００１５】
図１、図２は、本考案の電子デバイスサポート部材の第一実施形態の展開模式図と立体図である。
図に示す通り、本実施形態は電子デバイスサポート部材１である。
立てて、電子デバイスをセットする時には、電子デバイスサポート部材１は変形して、電子デバイス後部を支えられるサポートスタンドとなる。
横立式に電子デバイスをセットしようと、直立式に電子デバイスをセットしようと、電子デバイスをスタンド状態に堅固にサポートできる。
こうして、電子デバイスを長時間使用する必要がある時にも、長時間手で持って使用する必要がなく、手に対する影響或いは傷害を減らすことができる。
さらに、電子デバイスサポート部材１を收納する際には、変形して平面状とでき、占拠するスペースが小さく、簡単に收納できる。
【００１６】
電子デバイスサポート部材１は、収容設置部材２、第一サポート片１０、第二サポート片２０、第三サポート片３０と固定部材４０を有する。
収容設置部材２は、第一収容設置空間２１、第二収容設置空間２２と第三収容設置空間２３を有する。
第一サポート片１０は、第一収容設置空間２１内に設置する。
第二サポート片２０は、第二収容設置空間２２内に設置し、第一サポート片１０の片側に隣り合う。
第一凹折部２０１は、第一サポート片１０と第二サポート片２０との間に設置する。
第三サポート片３０は、第三収容設置空間２３内に設置し、第二サポート片２０の片側に隣り合う。
第二凹折部２０２は、第二サポート片２０と第三サポート片３０との間に設置し、第三サポート片３０と第一サポート片１０とは対称に該第二サポート片２０の両側に設置する。
固定部材４０は、第一サポート片１０の第一側辺１０１、第二サポート片２０の第二側辺１０２、第三サポート片３０の第三側辺１０３に設置する。
【００１７】
図３と図４は、本考案の電子デバイスサポート部材の第一実施形態の使用状態模式図と別種の使用状態模式図である。
図に示す通り、本実施形態の電子デバイスサポート部材１は、未使用状態下では、平板状（図１参照）を呈する。
この状態下では、電子デバイスサポート部材１が占拠するスペースは小さく、簡単に收納できる。
電子デバイスサポート部材１が使用状態にある時には、収容設置部材２の第一凹折部２０１と第二凹折部２０２とを折り曲げる。
これにより、両者はともに、第一側辺１０１、第二側辺１０２、第三側辺１０３の方向を向いて湾曲する。
こうして、第一側辺１０１、第二側辺１０２、第三側辺１０３は相互に接近する。
【００１８】
第一側辺１０１、該第二側辺１０２、第三側辺１０３が相互に隣接すると、固定部材４０を利用して、第一側辺１０１、第二側辺１０２、第三側辺１０３を二つずつ相互に連結して固定する。
固定部材４０は、ファスナー、面ファスナー或いは磁石構造或いは係合構造等で、第一側辺１０１、第二側辺１０２、第三側辺１０３を二つずつ相互に連結して固定できる固定構造であれば何でも良い。
【００１９】
本実施形態中では、固定部材４０は、ファスナー４１である。
ファスナーを第一側辺１０１、第二側辺１０２、第三側辺１０３に固定し、ファスナーのつまみを引くと、第一側辺１０１と第二側辺１０２の一部及び第三側辺１０３と第二側辺の別の部分が連結固定され、電子デバイスサポート部材２立体状を形成する。
【００２０】
本実施形態中では、第一サポート片１０、第二サポート片２０、第三サポート片３０はすべて、三角状或いは三角状に近似する。
よって、本実施形態の電子デバイスサポート部材１は、角錐状の立体サポート構造を形成する。
【００２１】
上述の使用過程の後、電子デバイスサポート部材１は、立体状を呈し、第一サポート片１０、第二サポート片２０、第三サポート片３０の三者の連結関係を備えない片側は、立体サポート台の底部となり、第二サポート片２０は、サポートの受け止め面となる。
第一サポート片１０と第三サポート片３０とは、第二サポート片２０の背後でそれぞれ左右対称となり、第二サポート片２０のサポート構造を支え、電子デバイスを支えるに足るサポート力を第二サポート片２０に提供する。
【００２２】
本実施形態中では、電子デバイス４を直立式にセットする。
電子デバイス４の後部は、第二サポート片２０に接触する（図３参照）。
また、電子デバイス４を横立式にセットすることもでき、この際には、電子デバイス４の後部は、第二サポート片２０に接触する（図４参照）。
【００２３】
本実施形態は、従来の技術に対して改良を加える。
従来の技術では、すべての保護ケースと保護バッグが、電子デバイスをサポートしてセットできる構造を備えているわけではなく、しかもサポート構造は、すべての電子デバイスの横立式或いは直立式のセット方式に適用できるわけではない。
もし、さまざまな電子デバイスの外観や構造に合わせて、それぞれ対応し、しかもサポートに用いることができる保護ケース或いは保護バッグを購入していれば、その出費は大きくなってしまう。
【００２４】
また、保護ケース或いは保護バッグの主要な目的と効果は、サポートではないため、保護ケース或いは保護バッグをサポート構造とする場合には、サポート力が十分でない。
本実施形態では、電子デバイスサポート部材１を提供する。
それは、各種電子デバイスを立ててセットできるサポートスタンドとできるため、横立式であろうと直立式であろうと、電子デバイス４をセットすることができ、電子デバイスサポート部材１は十分なサポート力を備え、電子デバイス４後部を支えるサポートスタンドとすることができる。
しかも、電子デバイスサポート部材１は、立体状に変形させれば、電子デバイス４のサポート構造となり、平板状とすれば、便利に收納できる。
【００２５】
図５は本考案の電子デバイスサポート部材の第二実施形態の模式図である。
図に示す通り、本実施形態と第一実施形態の差異は、本実施形態が受け止め片５０をさらに有する点である。
受け止め片５０は、収容設置部材２の第四収容設置空間２４内に設置し、第二サポート片２０において、第一サポート片１０と第三サポート片２０の側辺には隣接しない。
第三凹折部２０３は、受け止め片５０と第二サポート片２０との間に設置する。
【００２６】
電子デバイスサポート部材１の使用状態下では、収容設置部材２の第三凹折部２０３を上向きに折り曲げ、受け止め片５０を設置面上にフラットに置く。
電子デバイス４の後部が第二サポート片２０に接触すると、底部も受け止め片５０上に置かれる。
電子デバイス４の底部と受け止め片５０との間には、摩擦力が生じ、これにより電子デバイス４は堅固に電子デバイスサポート部材１上にセットされる。
【００２７】
本実施形態中では、電子デバイスサポート部材１は、係合固定片５１をさらに有する。
係合固定片５１の片側辺は、収容設置部材２に設置し、受け止め片５０上に位置する。
係合固定片５１は、湾曲可能性の材質である。
電子デバイスサポート部材１の使用状態下では、電子デバイス４の後部は第二サポート片２０に接触し、底部は、受け止め片５０上に置かれる。
電子デバイス４の前側底部は、受け止め片５０の係合固定片５１により係止され、これにより電子デバイス４は、電子デバイスサポート部材１上に固定される。
さらに、外力により係合固定片５１のもう一つの側辺を湾曲させれば、係合固定片５１は、サポート接触面積を大きくでき、電子デバイス４をよりよく固定できるようになる。
【００２８】
図６は、本考案の電子デバイスサポート部材の第三実施形態の模式図である。
図に示す通り、本実施形態と第一実施形態の差異は、本実施形態が差し込み部材６０をさらに有する点である。
差し込み部材６０は、収容設置部材２の表面に設置し、第一サポート片１０の外側辺或いは第三サポート片３０の外側辺に位置する。
差し込み部材６０には、タッチパネルペン或いはボールペン等を入れることができる。
こうして、電子デバイスサポート部材１は、使用上の利便性を拡大させられる。
【００２９】
図７は、本考案の電子デバイスサポート部材の第四実施形態の模式図である。
図に示す通り、本実施形態と第一実施形態の差異は、本実施形態が保護片７０をさらに有する点である。
保護片７０は、第二サポート片２０の第二側辺１０２に設置する。
固定部材４０がファスナー４１である場合には、ファスナーのつまみは堅固な材質の凸出構造であるため、物品を傷つけたり、コードを引っ掛けたり、ファスナー４１が損壊したり等の状況が起きやすい。
そのため、電子デバイスサポート部材１を收納する時には、保護片６０はファスナー４１のファスナーのつまみを覆って保護し、電子デバイスサポート部材１と一緒に収納する物品やファスナーのつまみが損壊する状況の発生を回避できる。
【００３０】
図８乃至図１０は、本考案の電子デバイスサポート部材の第五乃至第七実施形態の模式図である。
図に示す通り、本実施形態と第一実施形態との差異は、固定部材４０の構造の違いにある。
第五実施形態では、固定部材４０は磁性構造４２で、磁石を通して、第一側辺１０１と第三側辺１０３にそれぞれ設置され、磁石が相互に吸引する方式で、第一側辺１０１と第三側辺１０３を相互に連結固定する。
【００３１】
第六実施形態では、固定部材は係合構造４３である。
ボタンに類似の相互に係合固定する方式で、第一側辺１０１と第三側辺１０３とを相互に連結固定する。
【００３２】
第七実施形態では、固定部材４０は、面ファスナー４４である。
面ファスナー４４は、第一側辺１０１と第三側辺１０３にそれぞれ設置され、面ファスナー４４の相互に粘着固定する方式により、第一側辺１０１と第三側辺１０３とを相互に連結固定する。
【００３３】
上述を総合すると、本考案による電子デバイスサポート部材は、収容設置部材、第一サポート片、第二サポート片、第三サポート片と固定部材を有する。
収容設置部材は、第一収容設置空間、第二収容設置空間と第三収容設置空間を有する。
第一サポート片は、第一収容設置空間内に設置される。
第二サポート片は、第二収容設置空間内に設置され、第一サポート片の片側に隣り合う。
第一凹折部は、第一サポート片と第二サポート片との間に設置する。
第三サポート片は、第三収容設置空間内に設置され、第二サポート片の片側に隣り合う。
第二凹折部は、第二サポート片と第三サポート片との間に設置し、第三サポート片と第一サポート片とは対称に第二サポート片２０の両側に設置する。
固定部材は、第一サポート片の第一側辺１０１、第二サポート片の第二側辺と第三サポート片の第三側辺に設置され、電子デバイスサポート部材は、立体状を形成する。
【００３４】
前述した本考案の実施形態は本考案を限定するものではなく、よって、本考案により保護される範囲は後述される実用新案登録請求の範囲を基準とする。
【符号の説明】
【００３５】
１  電子デバイスサポート部材
２  収容設置部材
２１  第一収容設置空間
２２  第二収容設置空間
２３  第三収容設置空間
２４  第四収容設置空間
４  電子デバイス
１０  第一サポート片
２０  第二サポート片
２０１  第一凹折部
２０２  第二凹折部
２０３  第三凹折部
３０  第三サポート片
１０１  第一側辺
１０２  第二側辺
１０３  第三側辺
４０  固定部材
４１  ファスナー
４２  磁性構造
４３  係合構造
４４  面ファスナー
５０  受け止め片
５１  固定片
６０  差し込み部材
７０  保護片
【図１】
0003206069.tif 000003
【図２】
0003206069.tif 000004
【図３】
0003206069.tif 000005
【図４】
0003206069.tif 000006
【図５】
0003206069.tif 000007
【図６】
0003206069.tif 000008
【図７】
0003206069.tif 000009
【図８】
0003206069.tif 000010
【図９】
0003206069.tif 000011
【図１０】
0003206069.tif 000012
【手続補正書】
【提出日】平成28年6月29日(2016.6.29)
【手続補正１】
【補正対象書類名】実用新案登録請求の範囲
【補正対象項目名】全文
【補正方法】変更
【補正の内容】
【実用新案登録請求の範囲】
【請求項１】
電子デバイスサポート部材であって、収容設置部材、第一サポート片、第二サポート片、第三サポート片と固定部材を有し、
前記収容設置部材の内部には、第一収容設置空間、第二収容設置空間及び第三収容設置空間を有し、
前記第一サポート片は、前記第一収容設置空間内に設置され、
前記第二サポート片は、前記第二収容設置空間内に設置され、前記第一サポート片の片側に隣り合い、第一凹折部は、前記第一サポート片と前記第二サポート片との間に設置し、
前記第三サポート片は、前記第三収容設置空間内に設置され、前記第二サポート片の片側に隣り合い、第二凹折部は、前記第二サポート片と前記第三サポート片との間に設置し、前記第三サポート片と前記第一サポート片とは対称に前記第二サポート片の両側に設置し、
前記固定部材は、前記第一サポート片の第一側辺、前記第二サポート片の第二側辺と前記第三サポート片の第三側辺に設置され、
前記収容設置部材の前記第一凹折部と前記第二凹折部とを折り曲げ、前記固定部材は、前記第一側辺、前記第二側辺と前記第三側辺を、二つずつ相互に連結固定し、前記電子デバイスサポート部材は立体状を形成することを特徴とする電子デバイスサポート部材。
【請求項２】
前記電子デバイスサポート部材は、受け止め片をさらに有し、前記収容設置部材の第四収容設置空間内に設置し、前記第二サポート片において、前記第一サポート片と前記第三サポート片の側辺には隣接せず、
第三凹折部は、前記受け止め片と前記第二サポート片との間に設置することを特徴とする請求項１に記載の電子デバイスサポート部材。
【請求項３】
前記電子デバイスサポート部材は、係合固定片をさらに有し、前記収容設置部材に設置し、前記受け止め片上に位置することを特徴とする請求項２に記載の電子デバイスサポート部材。
【請求項４】
前記電子デバイスサポート部材は、差し込み部材をさらに有し、前記収容設置部材の片側に設置し、前記第一サポート片の外側辺或いは前記第三サポート片の外側辺に位置することを特徴とする請求項１に記載の電子デバイスサポート部材。
【請求項５】
前記固定部材は、ファスナー、磁性構造、係合構造或いは面ファスナーであることを特徴とする請求項１に記載の電子デバイスサポート部材。
【請求項６】
前記固定部材は、前記ファスナーで、
前記収容設置部材は、保護片をさらに有し、
前記保護片は、前記該第二側辺に設置されることを特徴とする請求項５に記載の電子デバイスサポート部材。